(57)【要約】【課題】並列流熱交換器における冷媒の不均等分配を改善することを目的とする。【解決手段】並列流熱交換器１００は、互いに並行に配置され、冷媒が流れる複数のチャネル１３ａ〜１３ｈと、複数のチャネル１３ａ〜１３ｈの一方の側の端部に接続される流入ヘッダ１１と、複数のチャネル１３ａ〜１３ｈの他方の側の端部に接続される流入ヘッダ１２と、複数のチャネル１３ａ〜１３ｈのそれぞれに対応して設けられたフィン２２ａ〜２１ｈとを備えた。ここで、フィンは、熱伝達量が、他の冷媒管対応フィンと異なる。チャネル１３ｈに対応して設けられたフィン２２ｈの熱伝達量は、チャネル１３ａに対応して設けられたフィン２２ａの熱伝達量よりも大きい。具体的には、フィン２２ａよりもフィン２２ｈのフィン密度を大きくすることで、フィン２２ｈの熱伝達量をフィン２２ａよりも大きくしている。【選択図】図２
2012082983.tif 000002
【特許請求の範囲】
【請求項１】
互いに略並行に配置され、冷媒が流れる複数の冷媒管と、
前記複数の冷媒管の一方の側の端部に接続される第１ヘッダと、
前記複数の冷媒管の他方の側の端部に接続される第２ヘッダと、
前記複数の冷媒管のうち、少なくとも２つ以上の前記冷媒管のそれぞれに対応して設けられた冷媒管対応フィンと
を備え、
それぞれの前記冷媒管対応フィンのうち少なくとも一つは、
熱伝達量が、他の前記冷媒管対応フィンと異なることを特徴とする並列流熱交換器。
【請求項２】
前記それぞれの冷媒管対応フィンは、
対応する前記冷媒管の長手方向に向かって形成されると共に、
前記それぞれの冷媒管対応フィンのうち少なくとも一つは、
フィンの密度が、他の前記冷媒管対応フィンと異なることを特徴とする請求項１記載の並列流熱交換器。
【請求項３】
前記それぞれの冷媒管対応フィンは、
対応する前記冷媒管の長手方向に向かって形成されると共に、
前記それぞれの冷媒管対応フィンのうち少なくとも一つは、
フィンの形式が、他の前記冷媒管対応フィンと異なることを特徴とする請求項１または２のいずれかに記載の並列流熱交換器。
【請求項４】
前記それぞれの冷媒管対応フィンは、
対応する前記冷媒管の長手方向に向かって形成されると共に、
前記それぞれの冷媒管対応フィンのうち少なくとも一つは、
フィンの材質が、他の前記冷媒管対応フィンと異なることを特徴とする請求項１〜３のいずれかに記載の並列流熱交換器。
【請求項５】
前記それぞれの冷媒管対応フィンは、
対応する前記冷媒管の長手方向に向かって形成されると共に、
前記それぞれの冷媒管対応フィンのうち少なくとも一つは、
対応する前記冷媒管の表面から隣接する前記冷媒管の方向に計測した長さを示すフィン高さが、他の前記冷媒管対応フィンと異なることを特徴とする請求項１〜４のいずれかに記載の並列流熱交換器。
【請求項６】
前記並列流熱交換器は、さらに、
前記複数の冷媒管の前記冷媒管ごとに、異なる流量の空気を当てる送風機を備えたことを特徴とする請求項１〜５のいずれかに記載の並列流熱交換器。
【請求項７】
前記送風機は、
空気を吹き出すスクロールハウジングを備えると共に、前記スクロールハウジングから吹き出される空気を前記複数の冷媒管に当てることを特徴とする請求項６記載の並列流熱交換器。
【請求項８】
前記並列流熱交換器は、さらに、
前記複数の冷媒管と、前記送風機との間に配置されたルーバーを備えたことを特徴とする請求項６または７のいずれかに記載の並列流熱交換器。
【請求項９】
圧縮機と、放熱器と、膨張機構と、吸熱器とを備えたヒートポンプ装置において、
前記放熱器と前記吸熱器との少なくともいずれかは、
互いに略並行に配置され、冷媒が流れる複数の冷媒管と、
前記複数の冷媒管の一方の側の端部に接続される第１ヘッダと、
前記複数の冷媒管の他方の側の端部に接続される第２ヘッダと、
前記複数の冷媒管のうち、少なくとも２つ以上の前記冷媒管のそれぞれに対応して設けられたそれぞれの冷媒管対応フィンと
を備えた並列流熱交換器であって、
前記それぞれの冷媒管対応フィンのうち少なくとも一つは、
熱伝達量が、他の前記冷媒管対応フィンと異なる並列流熱交換器であることを特徴とするヒートポンプ装置。
【発明の詳細な説明】
【技術分野】
【０００１】
この発明は空気調和機や冷凍システムに用いられる並列流熱交換器に係るものである。
【背景技術】
【０００２】
並列流熱交換器は、空調、冷凍産業に広く用いられている。並列流熱交換器は、複数の並列チャネルを有する。一般的には、冷媒は流入ヘッダに流入した後、流入ヘッダ内での冷媒流動方向と垂直な方向へと、複数のチャネルの各流入口から流入する。ここで、冷凍システムの蒸発器内での冷媒分配の不均等は良く知られている現象である。冷媒分配の不均等は、幅広い作動条件に亘って蒸発器性能およびシステム性能を低下させる。
冷媒分配の不均等は、
（１）複数の蒸発器チャネル内における流動抵抗の差、
（２）伝熱外表面における空気流量分布の不均等、
（３）不適切な熱交換器の向き、
（４）不適切な分配機構の設計、
などに起因することがある。このような冷媒分配の悪化は、並列流蒸発器の場合に特に顕著である。並列流熱交換器の性能に対するこのような現象の影響を低減させるためにトライした例はいままで多数あるが、提案された技術の複雑さや非効率性、高コストの理由などから、成功した例はない。
【０００３】
近年、並列流熱交換器、ロウ付けアルミ熱交換器が大きく注目されている。並列流熱交換器が注目される主な理由は、優れた性能、高コンパクト化、改善された耐腐食性などが挙げられる。並列流熱交換器は、冷凍及び空調関連の製品の、凝縮器あるいは蒸発器として応用されており、特に蒸発器としての応用が期待されている。冷媒の不均等分配は、並列流熱交換器を蒸発器として応用する技術において、最も重要な課題である。
【０００４】
並列流熱交換器での冷媒の不均等分配は、
（１）複数のチャネル内部での圧力損失の差、
（２）流入ヘッダ、流出ヘッダでの圧力損失の差、
（３）不適切な分配機構の設計、
などにより発生する。ヘッダ内では、冷媒チャネルの距離の差、相分離、重力などが冷媒の不均等分配の主な因子である。熱交換器部内では、熱伝達率の差、空気流量の分布、製造ばらつき、重力などが冷媒の不均等分配の支配的な因子である。さらに、最近は、熱交換器の性能向上は冷媒チャネルの小型化を可能にしているため、冷媒の分配性能は逆に悪くなる可能性がある。
【先行技術文献】
【特許文献】
【０００５】
【特許文献１】特開２００１−０５０６８５号公報
【発明の概要】
【発明が解決しようとする課題】
【０００６】
並列流熱交換器を用いる冷媒システムにおいて、ヘッダは一般的に円筒形である。流入ヘッダに入った冷媒二相流は、一般的に気液の両相が分離して独立的に流動するため、冷媒分配の不均等が発生する傾向がある。
【０００７】
二相流が比較的に早い速度でヘッダに流入する場合には、液相（液滴）冷媒は運動量が大きいため、ヘッダ入口から遠い所に運ばれる。従って、ヘッダ入口から近いチャネルに
は主に気相冷媒が流入し、ヘッダ入口から遠いチャネルには主に液相冷媒が流入する。
【０００８】
一方、ヘッダに流入する二相流の速度が比較的に遅い場合には、ヘッダ入口から遠い所に液相冷媒を運ぶ運動量がないため、液相冷媒はヘッダ入口から近いチャネルに流入する一方、気相冷媒は遠いチャネルに流入する。
【０００９】
また、流入ヘッダ内の気・液冷媒の両相は重力により分離される事もあり、これも不均等分配の原因の一つとなる。
【００１０】
このような冷媒不均等分配は、蒸発器およびシステム性能を低下させる。されに冷媒の不均等分配は、チャネル出口、結果的に圧縮機吸入部での冷媒を二相状態とし、液圧縮の可能性を増大させる。
【００１１】
この発明は、並列流熱交換器における冷媒の不均等分配を改善することを目的とする。
【課題を解決するための手段】
【００１２】
この発明の並列流熱交換器は、
互いに略並行に配置され、冷媒が流れる複数の冷媒管と、
前記複数の冷媒管の一方の側の端部に接続される第１ヘッダと、
前記複数の冷媒管の他方の側の端部に接続される第２ヘッダと、
前記複数の冷媒管のうち、少なくとも２つ以上の前記冷媒管のそれぞれに対応して設けられた冷媒管対応フィンと
を備え、
それぞれの前記冷媒管対応フィンのうち少なくとも一つは、
熱伝達量が、他の前記冷媒管対応フィンと異なることを特徴とする。
【発明の効果】
【００１３】
この発明により、並列流熱交換器における冷媒の不均等分配を改善することができる。
【図面の簡単な説明】
【００１４】
【図１】実施の形態１の並列流熱交換器１００の概略図。
【図２】実施の形態１のフィン密度の異なる複数チャネルを示す図。
【図３】実施の形態１のフィン密度の異なる複数チャネルを示す別の図。
【図４】実施の形態１のスクロールファンを備えた並列流熱交換器１００の概略図。
【図５】実施の形態１のスクロールファンを備えた並列流熱交換器１００の別の概略図。
【図６】実施の形態１のスクロールファン及びルーバーを備えた並列流熱交換器１００の概略図。
【図７】実施の形態１のスクロールファン及びルーバーを備えた並列流熱交換器１００の別の概略図。
【発明を実施するための形態】
【００１５】
実施の形態１．
図１は、実施の形態１の、並列流熱交換器１００の概略の外観図である。以下では、並列流熱交換器１００は、蒸発器を想定して説明する。
【００１６】
図１に示すように、並列流熱交換器１００は、流入ヘッダ１１（第１ヘッダ）、流出ヘッダ１２（第２ヘッダ）、流入ヘッダ１１及び流出ヘッダ１２に接続し、略並列に配置された複数のチャネル１３ａ〜１３ｈ（冷媒管）、及び各チャネルに対応して設けられたフィン１５ａ〜１５ｈ（冷媒管対応フィン）を備える。例えばチャネル１３ａにはフィン１５ａが対応する。特に区別をする必要が無い場合にはチャネル１３、フィン１５のように
記載する。それぞれのフィン１５は、対応するチャネル１３の長手方向に向かって形成されている。また図１には、チャネル１３ａのチャネル入口１４ａを示した。チャネル１３ｂ〜１３ｈも同様にチャネル入口１４ｂ〜１４ｈを有するが、図１では図示を省略した。また流入ヘッダ１１の下部に設けらた流入ヘッダ入口１１Ａから、冷媒３０が流入する。なお矢印Ｘは「Ｘ方向矢視」（後述の図４〜図７）を示す。
【００１７】
一般的に、流入ヘッダ１１及び流出ヘッダ１２は、いずれも円筒形状である。また、チャネル１３は、多数の流路孔があけられた、「多孔の扁平管もしくは多孔の丸状チューブ」（マイクロチャネルと呼ばれる場合がある）である。チャネル１３は、内・外伝熱促進エレメントとしてフィン１５を有する。フィン１５は伝熱を促進するために配置され（従来では均等に配置される）、チャネル１３にロウ付けされる。
【００１８】
冷媒の二相流は流入ヘッダ１１に流入し、複数のチャネル入口１４ａ〜１４ｈに液、ガス、もしくは気液の混合物の形で入る。そして、冷媒３０は、チャネル１３ａ〜１３ｈを通過した後、流出ヘッダ１２に入る。流出ヘッダ１２を出た冷媒３０は、一般的にガスの形で圧縮機に流入する。チャネル１３の外側では、ファン（図１には図示していない）により、空気がチャネル１３とフィン１５の表面を通過し、チャネル内の冷媒とチャネル１３外の空気との間で伝熱（熱交換）が行われる。
【００１９】
（流入冷媒の速度が速い場合）
図２は、冷媒流が、比較的に早い速度で流入ヘッダ１１に入る場合を示す図である。冷媒の二相流が比較的に早い速度で流入ヘッダ１１に流入する場合、液相冷媒３１（液滴）は運動量が大きい。このため、液相冷媒３１は、流入ヘッダ入口１１Ａから遠い所、すなわち、流入ヘッダ１１の下流端に流れる。その結果、下流チャネルには上流チャネルより多くの液相冷媒３１が流入し、上流チャネルには下流チャネルより多くの気相冷媒３２（ガス冷媒）が流入することなる。このため、並列流熱交換器１００の性能が低下するだけでなく、圧縮機の吸入部に液冷媒が流入する。
【００２０】
（流入冷媒の速度が遅い場合）
図３は、逆に、冷媒流が比較的に遅い速度で流入ヘッダ１１に入る場合を示す図である。冷媒流が比較的に遅い速度で流入ヘッダ１１に入る場合、流入ヘッダ入口１１Ａから遠い所に液相冷媒３１を運ぶ運動量がない。このため、液相冷媒３１は流入ヘッダ入口１１Ａから近いチャネルに流入する。一方、気相冷媒３２は遠いチャネルに流入する。従って、下流チャネルには上流より多くの気相冷媒３２が流入する。よって、図２の場合と同様、並列流熱交換器１００の性能が低下するとともに、圧縮機の吸入部に液冷媒が流入する。
【００２１】
実質的に蒸発器の全並列パスの圧力降下は等しいため、液冷媒が支配的に流れるチャネルは、ガス冷媒流が支配的なチャネルより冷媒流量が大きい。そのような冷媒流量不均等により並列流熱交換器の性能低下と液バックが発生し、システム性能と、圧縮機の信頼性とが低下する。
【００２２】
（フィン１５による対策）
冷媒流量の不均等分配の課題を解決する一つの方法として、高い冷媒流量のチャネル（液冷媒支配のチャネル）に対し、
（１）フィン密度の増加、
（２）高効率タイプフィンの使用（ルーバフィン）、
（３）フィンの材料、
（４）高さの変更（結果的にチャネル間距離を短くする）
などにより、管外熱伝達量を増加させることができる。
【００２３】
（１．フィン密度）
前記の図２は、流入冷媒の速度が速い場合に、各チャネルのフィン密度を変えることで冷媒流量の不均等分配を改善する場合を示している。つまり図２は、チャネル同士のフィン密度が不均一である場合を示している。例えば、図２の例では、下流側のフィン２１ｈ（チャネル１３ｈのフィン）の密度は、上流側のフィン２２ａ（チャネル１３ａのフィン）の密度よりも大きい。高密度のフィン２１ｈを有するチャネル１３ｈは、低密度のフィン２２ａを有するチャネル１３ａよりも熱伝達量が大きい。このため、チャネル出口（流出ヘッダ１２側のチャネル端部）で、冷媒は過熱状態となる。このように、高い冷媒流量のチャネル（液冷媒支配チャネル）のフィンを高密度（すなわち熱伝達量の大きい）とし、冷媒流量の低いチャネルのフィンを低密度（すなわち熱伝達量の小さい）とすることで、冷媒流量の不均等分配を改善する。
【００２４】
図３は、図２とは逆に、流入冷媒の速度が比較的遅い場合に、各チャネルのフィン密度を変えることで冷媒流量の不均等分配を改善する場合である。図３の場合、流入ヘッダ１１における上流側が、高い冷媒流量のチャネル（液冷媒支配チャネル）となるため、上流側のチャネルのフィンを高密度とする。
【００２５】
（フィンの数）
なお、外観を示す図１では、各チャネルにフィン１５を設けているが、一例である。複数のチャネルの内、一部のチャネルにのみ、対応するフィンを設けてもよい。図２を例にとると、例えば、チャネル１３ｄ〜１３ｈにのみフィンを設けてもよい。全てのチャネルに対応するフィンを設けることが好ましいが、フィンは、少なくとも一つのチャネルに設けても構わない。
【００２６】
（フィン密度）
また、図２において、対応するチャネルに設けられたフィン２２ａ，２１ｈ等は、フィン密度が互いに異なってもよいし（全てのフィン密度が異なる場合）、同じフィン密度のグループが存在しても構わない。例えば、図２の場合にフィン１５ｄ〜１５ｈが設けられているとする場合、
フィン１５ｄ〜１５ｈの順に、順次、フィン密度が高くなるようにしてもよい。
あるいは、
フィン１５ｄ、１５ｅが同一のフィン密度１、
フィン１５ｆ、１５ｇが同一のフィン密度、かつ、フィン密度１よりも高密度のフィン密度２、
フィン１５ｈがフィン密度２よりも高密度のフィン密度３、
のような場合でもよい。すなわち、チャネルに対応して設けられた各フィンは、少なくとも一つのフィン密度が、他のフィンのフィン密度と異なればよい。
【００２７】
（２．フィンのタイプ）
図２、図３では、フィン密度を不均一とすることで冷媒流量の不均等分配を改善する場合を説明したが、フィンタイプ（フィンの形式）を不均一としてもよい。すなわち、高い冷媒流量のチャネル（液冷媒支配チャネル）にはルーバフィンのような高効率タイプのフィンを使用してもよい。
【００２８】
フィンタイプについてもフィン密度と同様に、対応するチャネルに設けられたフィンの全部のタイプが互いに異なってもよいし、同じタイプのグループが存在しても構わない。例えば、図２の場合にフィン１５ｄ〜１５ｈが設けられているとする場合、フィン１５ｄ〜１５ｇを通常のフィンとしてフィン１５ｈをルーバフィンとしてもよいし、フィン１５ｄ〜１５ｆを通常のフィンとしてフィン１５ｇ、１５ｈをルーバフィンとしてもよい。す
なわち、チャネルに対応して設けられた各フィンは、少なくとも一つのフィンタイプが、他のフィンのタイプと異なればよい。
【００２９】
（３．フィンの材質）
フィンの材質を不均一とすることで、冷媒流量の不均等分配を改善することも可能である。すなわち、高い冷媒流量のチャネル（液冷媒支配チャネル）のフィンには、熱伝達量の大きい材質を使用する。
【００３０】
フィン材質についてもフィン密度と同様に、対応するチャネルに設けられたフィンの全部の材質が互いに異なってもよいし、同じ材質のグループが存在しても構わない。すなわち、チャネルに対応して設けられた各フィンは、少なくとも一つのフィンの材質が、他のフィンの材質と異なればよい。
【００３１】
（４．フィンの高さ）
また、フィンの高さを不均一とすることで、冷媒流量の不均等分配を改善することも可能である。ここで、フィンの「高さ」とは、図２のフィン２２ａで説明すると、フィン２２ａの設けられたチャネル１３ａの表面から隣接するチャネルの方向に計測した長さＨである。高い冷媒流量のチャネル（液冷媒支配チャネル）のフィンは、高さ（長さＨ）を大きくする。
【００３２】
フィンの高さについてもフィン密度と同様に、対応するチャネルに設けられたフィンの全部の高さが互いに異なってもよいし、同じ高さのグループが存在しても構わない。すなわち、チャネルに対応して設けられた各フィンは、少なくとも一つのフィンの高さが、他のフィンの高さと異なればよい。
【００３３】
（空気流量による対策）
次に、チャネルにおける熱伝達量を変化させるもう一つの方法は、各チャネルにおける空気流量を変化させることである。すなわち、高い冷媒流量のチャネル１３に対しては、低い冷媒流量のチャネル１３よりも多くの空気を当てることにより、管外熱伝達量を増加させる。
【００３４】
一般的に、ファンによる空気流量は並列流熱交換器１００に対して不均等となるため、その結果、チャネル１３ごとの熱伝達量が異なり、冷媒が不均等に分配される結果となる。本実施の形態１では、冷媒の不均等分配現象を補うため、あえてチャネルに当てる空気流量を不均等とすることによって、逆に、冷媒の不均等分配現象を改善する。
【００３５】
図４は、スクロールハウジング２８を有するファン２７を備えた並列流熱交換器１００を示す図である。矢印２６は、並列流熱交換器１００に対する空気の流れを表わす。図４は図１のＸ方向矢視に相当する図である。図４のチャネル１３ａ〜１３ｈ及び流入ヘッダ入口１１Ａは、分かりやすさのために記載しており、図４は断面図ではない。
【００３６】
（流入冷媒の速度が速い場合）
図４は、流入ヘッダ１１に高流速で冷媒が流入する場合である。この場合、流入ヘッダ入口１１Ａから遠いチャネル１３には高流量の冷媒が流れる。すなわち、流入ヘッダ入口１１Ａから遠いチャネル１３には液冷媒が多く流入する。このような現象を補うためには、高冷媒流量のチャネル（下流チャネル）に、より多くの空気流量が必要である。空気流量の調整は、矢印２６で表わすように、下流側チャネルに対する空気流の圧力損失が、上流側チャネルに吹く空気流の圧力損失より少なくなるようにすることで行う。図４では矢印２６ａ側よりも、矢印２６ｂ側（図４で高冷媒流量側）の方が圧力損失が少ない。その結果、下流側チャネルの熱伝達量は、上流側の熱伝達量より大きくなる。
【００３７】
図５は、逆に冷媒のヘッダ内流入速度が遅い場合を示す。図５では、高冷媒流量となる上流側チャネルにおいて、空気流の圧力損失が少ない（矢印２６ａ側）。
【００３８】
（ルーバーの使用）
図６と図７とは、図４、図５に対して、さらに、並列流熱交換器１００がルーバー２９を備えた場合を示す。図６は図４に対応し、図７は図５に対応する。図６、図７に示すように、並列流熱交換器１００は、複数のチャネル１３と、ファン２７との間に配置されたルーバー２９を備えている。ルーバー２９は、要求される多様な作動条件に空気流パターンを合わせられるように、選択的にチューニングできる構成である。この場合、ファン２７（例えばスクロールファン）はスタンダードな構成とし、風量分配は、主にルーバー２９で行う。
【００３９】
以上の実施の形態１の並列流熱交換器１００は、各チャネルの熱伝達量を不均一とする手段を有するので、冷媒流量の不均等分配を改善することができる。
【００４０】
以上の実施の形態１の並列流熱交換器１００は、各チャネルの熱伝達量を不均一とする手段として、
（１）フィン密度の増加、
（２）高効率タイプフィンの使用、
（３）フィンの材料、
（４）高さの変更
を有するので、
管外熱伝達量を増加させることができる。これにより、冷媒流量の不均等分配を改善することができる。
【００４１】
以上の実施の形態１の並列流熱交換器１００は、複数のチャネルの冷媒管ごとに、異なる流量の空気を当てる送風機を備えたので、簡易な構成で冷媒流量の不均等分配を改善することができる。
【００４２】
本実施の形態１の並列流熱交換器１００では、流入ヘッダ１１からチャネル１３への不均等な冷媒分配を、個々のチャネル対する不均一な管外伝熱特性によって改善するものである。
【００４３】
また、本実施の形態１の並列流熱交換器１００では、フィンの数、タイプ、サイズのような管外拡張伝熱面のパラメータは、個々のチャネルごとに異なり、その結果、個々のチャネルにおける熱伝達量の差異が冷媒分配の不均等性を補う。
【００４４】
本実施の形態１の並列流熱交換器１００では、チャネルへの風量は個々のチャネルごとに異なり、その結果、個々のチャネルにおける熱伝達量の差異が冷媒分配の不均等性を補う。
【００４５】
本実施の形態１の並列流熱交換器１００によれば、冷媒不均等の熱交換器性能への悪影響は最小化され、熱交換器の性能が向上するとともに、圧縮機吸入部での液バックが回避される。
【００４６】
以上の実施の形態１では、並列流熱交換器１００を説明したが、並列流熱交換器１００をヒートポンプ装置の吸熱器あるいは放熱器として使用することができる。すなわち、圧縮機と、放熱器と、膨張機構と、吸熱器とを備えたヒートポンプ装置において、放熱器と吸熱器との少なくともいずれとして、実施の形態１で述べた並列流熱交換器１００を使用
することができる。並列流熱交換器１００を使用することによって、ヒートポンプ装置の信頼性向上、及びコンパクト化等を図ることができる。
【符号の説明】
【００４７】
１１  流入ヘッダ、１１Ａ  流入ヘッダ入口、１２  流出ヘッダ、１３  チャネル、１４  チャネルの入口、１５  フィン、２１  高密度フィン、２２  低密度フィン、２３  低密度フィン、２４  高密度フィン、２７  ファン、２８  スクロールハウジング、２９  ルーバー、３０  冷媒、３１  液相冷媒、３２  気相冷媒、１００  並列流熱交換器。
【図１】
2012082983.tif 000003
【図２】
2012082983.tif 000004
【図３】
2012082983.tif 000005
【図４】
2012082983.tif 000006
【図５】
2012082983.tif 000007
【図６】
2012082983.tif 000008
【図７】
2012082983.tif 000009